(57)【要約】【課題】グループＩＩＩの基油に比べて低粘度を有するクランクケース潤滑組成物を提供すること。【解決手段】基油ブレンドを有する潤滑剤配合物が提供され、この基油ブレンドは、１００℃で２．５から３．５ｃＳｔの間の動粘度を有する第１のフィッシャー・トロプシュ誘導基油および１００℃で３．５から４．５ｃＳｔの間の動粘度を有する第２のフィッシャー・トロプシュ誘導基油を有し、得られた基油ブレンドは１５重量％未満のＮｏａｃｋ揮発度を有する。第１のフィッシャー・トロプシュ誘導基油は最大１２重量％の量で存在することができ、第２のフィッシャー・トロプシュ誘導基油は最大８８重量％の量で存在することができる。【選択図】なし【特許請求の範囲】
【請求項１】
基油ブレンドおよび１種以上の添加剤を含む、エンジンのクランクケースに使用される潤滑組成物であって、基油ブレンドがフィッシャー・トロプシュ誘導基油を含み、潤滑組成物が、１００℃で２．５から３．５ｃＳｔの間の動粘度を有する第１のフィッシャー・トロプシュ誘導基油および１００℃で３．５から４．５ｃＳｔの間の動粘度を有する第２のフィッシャー・トロプシュ誘導基油を有し、得られた基油ブレンドが１５重量％未満のＮｏａｃｋ揮発度を有する、潤滑組成物。
【請求項２】
請求項１に記載の潤滑組成物であって、第１のフィッシャー・トロプシュ誘導基油を最大１２重量％、および第２のフィッシャー・トロプシュ誘導基油を少なくとも８８重量％含む、潤滑組成物。
【請求項３】
請求項１に記載の潤滑組成物であって、第１のフィッシャー・トロプシュ誘導基油を１から１２重量％の間、および第２のフィッシャー・トロプシュ誘導基油を８８から９９重量％の間で含む、潤滑組成物。
【請求項４】
請求項１に記載の潤滑組成物であって、第１のフィッシャー・トロプシュ誘導基油を８から１２重量％の間、および第２のフィッシャー・トロプシュ誘導基油を８８から９２重量％の間で含む、潤滑組成物。
【請求項５】
請求項１に記載の潤滑組成物であって、第１のフィッシャー・トロプシュ誘導基油を４から８重量％の間、および第２のフィッシャー・トロプシュ誘導基油を９２から９６重量％の間で含む、潤滑組成物。
【請求項６】
請求項１に記載の潤滑組成物であって、第１のフィッシャー・トロプシュ誘導基油を０．５から４重量％の間、および第２のフィッシャー・トロプシュ誘導基油を９６から９９．５重量％の間で含む、潤滑組成物。
【請求項７】
請求項１に記載の潤滑組成物であって、第１のフィッシャー・トロプシュ誘導基油が、１００℃で２．６から２．９ｃＳｔの間の動粘度を有する、潤滑組成物。
【請求項８】
請求項１に記載の潤滑組成物であって、第２のフィッシャー・トロプシュ誘導基油が、１００℃で３．７から４の間の動粘度を有する、潤滑組成物。
【請求項９】
潤滑組成物のＮＯＡＣＫ揮発度が１５％未満である、請求項１から８のいずれかに記載の潤滑組成物。
【請求項１０】
潤滑組成物のＮＯＡＣＫ揮発度が１４％未満である、請求項１から８のいずれかに記載の潤滑組成物。
【請求項１１】
潤滑組成物のＮＯＡＣＫ揮発度が１３％未満である、請求項１から８のいずれかに記載の潤滑組成物。
【請求項１２】
潤滑組成物のＮＯＡＣＫ揮発度が１２％未満である、請求項１から８のいずれかに記載の潤滑組成物。
【請求項１３】
潤滑組成物のＮＯＡＣＫ揮発度が１１％未満である、請求項１から８のいずれかに記載の潤滑組成物。
【請求項１４】
潤滑組成物のＮＯＡＣＫ揮発度が１０％未満である、請求項１から８のいずれかに記載の潤滑組成物。
【請求項１５】
請求項１から１４のいずれかに記載の潤滑組成物であって、酸化防止剤、耐摩耗添加剤、粘度調整剤、洗浄剤、分散剤および消泡剤からなる群から選択される添加剤の１種以上を含む潤滑剤用添加剤パッケージをさらに含む、潤滑組成物。
【請求項１６】
エンジンを潤滑させる方法であって、請求項１から１４のいずれかに記載の潤滑組成物をエンジンに供給するステップを含む、方法。
【発明の詳細な説明】
【技術分野】
【０００１】
本発明は、潤滑組成物に関し、詳細には、グループＩＩＩの基油に比べて低粘度を有するクランクケース潤滑組成物に関する。
【背景技術】
【０００２】
潤滑油には、より滑らかな機能を促進させ、可動部品同士の金属間接触での摩耗を低減させ、熱を除去するために、内燃機関、ギアボックスおよびその他の機械式デバイスで用途がある。内燃機関で使用される潤滑油（エンジンオイル）は特に、内燃機関の高性能、高出力および厳しい動作条件下で、高レベルの性能を示さなければならない。潤滑油に必要な燃料効率性能は、近年上昇し続けており、その結果、様々な高粘度指数の基油または摩擦調整剤が利用されている。耐摩耗剤、過塩基化洗浄剤、無灰分散剤、粘度調整剤および酸化防止剤などの様々な添加剤を、従来のエンジンオイルに添加して、そのような性能要件を満たすことができる。
【０００３】
多くの適用例において、潤滑剤組成物は、広範な剪断および／または温度にわたって所望の粘度特性を得るために、ポリマー系粘度調整剤添加剤の存在を必要とする。これらの添加剤は、通常は室温で高粘度の液体または固体である。均質な分布を実現できるようにするために、固形分の取扱いを回避し、潤滑剤組成物中に添加される添加剤の量を管理し、したがって一貫した品質を確実にできるようにするために、これらの添加剤は、通常は添加剤濃縮物として添加される。
【０００４】
フィッシャー・トロプシュ誘導基油（以後、ガスツーリキッドまたは「ＧＴＬ」基油）は、エンジンオイル、トランスミッション液および工業用潤滑剤などの潤滑組成物での用途が益々見出されている。これらの組成物は、改善された酸化特性、改善されたエンジン清浄性、改善された摩耗保護、改善された排気および改善された後処理デバイス適合性を含めた、伝統的な鉱質基油に勝る様々な性能の利益を享受する。
【０００５】
鉱質基油は、典型的には潤滑組成物の調製に使用されてきた。しかし、ＳＡＥ  ０Ｗ−Ｘなど、ＳＡＥ  Ｊ３００仕様（２０１３年４月改訂）のシンナーグレードに一致した鉱質基油を用いてエンジンオイル（乗用車のモーターオイルおよび大型車両用ディーゼルエンジンオイルを含む。）を配合することには問題がある。さらに、鉱質ベースエンジンオイルは、比較的薄いエンジンオイルで使用された場合、不十分な燃料経済性、不十分な摩耗性能および低いＮｏａｃｋ揮発度の１つ以上に悩まされる可能性がある。
【０００６】
潤滑性能をさらに改善する要求が高まるにつれ、改善された性質を実証する、より低い粘度の潤滑組成物を開発することが求められている。
【発明の概要】
【０００７】
（発明の要旨）
上記またはその他の目的の１つ以上は、（ａ）ＧＴＬ３基油および（ｂ）ＧＴＬ４基油を含んだ基油のブレンドを含む潤滑油組成物によって得ることができる。ある種の実施形態では、基油のブレンドは、ＧＴＬ３基油を最大約１２重量％含むことができる。代わりに、基油のブレンドは、ＧＴＬ３基油を１から１２重量％の間で含むことができる。その他の実施形態では、基油のブレンドは、ＧＴＬ４基油を少なくとも８８重量％含むことができる。その他の実施形態では、基油のブレンドは、ＧＴＬ４基油を８８から９９重量％の間で含むことができる。
【０００８】
（発明の詳細な説明）
ある種の実施形態では、目的の１つ以上は、フィッシャー・トロプシュ誘導基油を有する潤滑組成物を用いて達成することができ、第１のフィッシャー・トロプシュ誘導基油は１００℃で２．５から３．０ｃＳｔの間の動粘度および３０重量％よりも高いＮｏａｃｋ揮発度を有し、第２のフィッシャー・トロプシュ誘導基油は、１００℃で３．７から４．３ｃＳｔの間の動粘度および１５重量％未満のＮｏａｃｋ揮発度を有する。
【０００９】
ある種の実施形態では、上記またはその他の目的の１つ以上は、基油のブレンドを含む潤滑組成物によって得ることができ、このブレンドは：１００℃で２．５から３．５ｃＳｔの間の動粘度を有する第１のフィッシャー・トロプシュ誘導基油を最大約１２重量％、および１００℃で３．５から４．５ｃＳｔの間の動粘度を有する第２のフィッシャー・トロプシュ誘導基油を少なくとも８８重量％含み、この潤滑組成物は１５重量％未満のＮＯＡＣＫ揮発度を有する。
【発明を実施するための形態】
【００１０】
本発明の目的の１つ以上は、フィッシャー・トロプシュ誘導基油のブレンドを含む潤滑組成物によって達成することができる。より詳細には、フィッシャー・トロプシュ誘導基油のブレンドは、ＧＴＬ３基油およびＧＴＬ４基油を含む。ＧＴＬ３およびＧＴＬ４基油を組み合わせることによって、高燃料効率エンジンで使用される低粘度潤滑組成物が提供されることが、意外にも見出された。ある種の実施形態では、潤滑組成物は、揮発性を目的に添加され得るＧＴＬ８基油を含むことができる。
【００１１】
「フィッシャー・トロプシュ誘導」という用語は、フィッシャー・トロプシュ法の合成生成物であるまたはこの合成生成物から誘導された、基油を指す。フィッシャー・トロプシュ誘導基油は、ＧＴＬ（ガスツーリキッド）基油と呼んでもよい。本発明の潤滑組成物中の基油として都合良く使用することのできるフィッシャー・トロプシュ誘導基油は、例えば、ＥＰ０７７６９５９；ＥＰ０６６８３４２；ＷＯ１９９７／２１７８８；ＷＯ２０００／１５７３６；ＷＯ２０００／１４１８８；ＷＯ２０００／１４１８７；ＷＯ２０００／１４１８３；ＷＯ２０００／１４１７９；ＷＯ２０００／０８１１５；ＷＯ１９９９／４１３３２；ＥＰ１０２９０２９；ＷＯ２００１／１８１５６；およびＷＯ２００１／５７１６６に開示されたものである。
【００１２】
本発明の潤滑油組成物に使用される適切な基油は、グループＩ−ＩＩＩの鉱質基油（好ましくは、グループＩＩＩ）、グループＩＶポリ−αオレフィン（ＰＡＯ）およびこれらの混合物を含む。
【００１３】
本明細書で使用される、上記またはその他の目的の１つ以上で言及された本発明における「グループＩ」、「グループＩＩ」、「グループＩＩＩ」および「グループＩＶ」基油は、米国石油協会（ＡＰＩ）の分類Ｉ、ＩＩ、ＩＩＩおよびＩＶの定義に準拠した潤滑油基油を含む潤滑油組成物によって得ることができる（これらのＡＰＩ分類は、ＡＰＩ  Ｐｕｂｌｉｃａｔｉｏｎ  １５０９、第１５版、補遺Ｅ、２００２年４月に定義されている。）。フィッシャー・トロプシュ誘導基油は、当技術分野で公知である。
【００１４】
本発明の配合物中に含めることができる合成油は、オレフィンオリゴマー（ポリαオレフィン基油；ＰＡＯを含む。）、二塩基酸エステル、ポリオールエステル、ポリアルキレングリコール（ＰＡＧ）、アルキルナフタレンおよび脱蝋させた蝋状イソメレートなどの炭化水素油を含むことができる。Ｓｈｅｌｌ  Ｇｒｏｕｐから「Ｓｈｅｌｌ  ＸＨＶＩ」（商標）という名称で販売されている合成炭化水素基油を本発明で都合良く使用してもよい。
【００１５】
フィッシャー・トロプシュ誘導基油は、非常に良好なコールドフロー特性、高酸化安定度および高粘度指数を示す、高パラフィン系ＡＰＩグループＩＩＩ基油（ＡＰＩ  Ｂａｓｅ  Ｏｉｌ  Ｉｎｔｅｒｃｈａｎｇｅａｂｉｌｉｔｙ  Ｇｕｉｄｅｌｉｎｅｓ）である。
【００１６】
本発明で使用される基油は、本明細書で指定されたフィッシャー・トロプシュ誘導基油に加え、１種以上の鉱油および／または１種以上の合成油の混合物を都合良く含み得る。本明細書で使用される「基油」という用語は、本発明の少なくとも１種のフィッシャー・トロプシュ誘導基油を含めた複数の基油を含む混合物を指してもよい。鉱油は、流動石油および溶媒処理されたまたは酸処理された鉱質潤滑油であってパラフィン系、ナフテン系、または混合パラフィン／ナフテン型のものを含むことができ、これらはさらに水素化仕上げ法および／または脱蝋によって精製されてもよい。
【００１７】
フィッシャー・トロプシュ誘導基油は、非常に良好なコールドフロー特性、高酸化安定度および高粘度指数を示す、高パラフィン系ＡＰＩグループＩＩＩ基油（ＡＰＩ  Ｂａｓｅ  Ｏｉｌ  Ｉｎｔｅｒｃｈａｎｇｅａｂｉｌｉｔｙ  Ｇｕｉｄｅｌｉｎｅｓにより定義される。）である。しかし高パラフィン含量により、基油の溶解作用は一般に低く、その他の潤滑剤成分および添加剤に対してしばしば不相溶性をもたらす。
【００１８】
フィッシャー・トロプシュ誘導基油は、当技術分野で公知である。本発明の文脈において、「フィッシャー・トロプシュ誘導」という用語は、材料が、フィッシャー・トロプシュ縮合法の合成生成物であり、またはこの合成生成物から誘導されることを意味する。「非フィッシャー・トロプシュ誘導」という用語は、相応に解釈することができる。したがってフィッシャー・トロプシュ誘導基油は、そのかなりの部分が、添加された水素を除いてフィッシャー・トロプシュ縮合法から直接または間接的に誘導される炭化水素流になる。フィッシャー・トロプシュ誘導基油はＧＴＬ（ガスツーリキッド）基油と呼んでもよく、Ｓｈｅｌｌ  ＸＨＶＩという商標で販売されている基油を含む。フィッシャー・トロプシュ誘導基油およびその調製に関するその他の情報については、その教示が特定の参照により本明細書に組み込まれるＷＯ  ２００９／０７４５７２を参照されたい。
【００１９】
典型的には、フィッシャー・トロプシュ誘導基油の芳香族含量（一般に、ＡＳＴＭ  ４６２９により決定される。）は１重量％未満になり、好ましくは０．５重量％未満、より好ましくは０．１重量％未満になる。基油は、典型的には、少なくとも８０重量％、好ましくは少なくとも８５重量％、より好ましくは少なくとも９０重量％、さらにより好ましくは少なくとも９５重量％、最も好ましくは少なくとも９９重量％の全パラフィン含量を有する。さらにフィッシャー・トロプシュ誘導基油は、典型的には、９８重量％超、好ましくは９９重量％超、より好ましくは９９．５重量％超の飽和物含量（ＩＰ−３６８、ＡＳＴＭ  Ｄ２００７、ＡＳＴＭ  Ｄ７４１９、または類似の結果をもたらすことになる任意のその他のクロマトグラフ法によって測定される。）を有する。フィッシャー・トロプシュ誘導基油は、０．５重量％の最大ｎ−パラフィン含量を有することができる。フィッシャー・トロプシュ誘導基油は、最大約２０重量％、あるいは０．１から２０重量％の間、あるいは０．５から１０重量％の間、あるいは５から１５重量％の間、あるいは５から１０重量％の間のナフテン系化合物の含量を有することができる。
【００２０】
典型的には、フィッシャー・トロプシュ誘導基油は、１００℃で、２から８ｍｍ２／秒（ｃＳｔ）、好ましくは２．５超、より好ましくは３．０ｍｍ２／秒超の動粘度（ＡＳＴＭ  Ｄ７０４２により測定される。）を有する。好ましくはフィッシャー・トロプシュ誘導基油は、１００℃で、５．０ｍｍ２／秒未満、好ましくは４．５ｍｍ２／秒未満、より好ましくは４．２ｍｍ２／秒未満の動粘度を有する。ある種の実施形態では、フィッシャー・トロプシュ誘導基油は、１００℃で、２．５から５ｍｍ２／秒（ｃＳｔ）の間、あるいは３から４．５ｍｍ２／秒（ｃＳｔ）の間、あるいは４．０から４．２ｍｍ２／秒（ｃＳｔ）の間の動粘度を有する。
【００２１】
さらにフィッシャー・トロプシュ誘導基油は、典型的には、１０から１００ｍｍ２／秒（ｃＳｔ）、あるいは１５から５０ｍｍ２／秒（ｃＳｔ）の、４０℃での動粘度（ＡＳＴＭ  Ｄ７０４２により測定される。）を有する。
【００２２】
またフィッシャー・トロプシュ誘導基油は、好ましくは、−３０℃未満、より好ましくは−４０℃未満、最も好ましくは−４５℃未満の流動点（ＡＳＴＭ  Ｄ５９５０により測定される。）も有する。ある種の実施形態では、流動点が−３０℃から−４０℃の間、あるいは−４０℃から−４５℃の間である。
【００２３】
フィッシャー・トロプシュ誘導基油の引火点（ＡＳＴＭ  Ｄ９２により測定される。）は、１２０℃よりも高く、好ましくは１３０℃よりも高く、より好ましくは１４０℃よりもさらに高い。あるいは引火点は、１２０℃から１３０℃の間とすることができ、あるいは１３０℃から１４０℃の間とすることができる。
【００２４】
フィッシャー・トロプシュ誘導基油は、好ましくは、１００から２００の範囲の粘度指数（ＡＳＴＭ  Ｄ２２７０により測定される。）を有する。好ましくは、フィッシャー・トロプシュ誘導基油は、少なくとも１２５、好ましくは少なくとも１３０の粘度指数を有する。また、粘度指数は１８０未満であることが好ましく、１５０未満であることが好ましい。ある種の実施形態では、粘度指数が１２５から１８０の間、あるいは１３０から１５０の間である。
【００２５】
フィッシャー・トロプシュ誘導基油が２種以上のフィッシャー・トロプシュ誘導基油のブレンドを含有する場合、上記の値は、２種以上のフィッシャー・トロプシュ誘導基油のブレンドに当てはまる。
【００２６】
本明細書で使用されるＧＴＬ３基油は、１００℃で、約２から４ｃＳｔの間、あるいは２．２から３．２ｃＳｔの間、あるいは２．６から２．９ｃＳｔの間の動粘度と、少なくとも約９８．５重量％の飽和物含量と、約０．７重量％以下の芳香族含量と、約４２重量％のＮｏａｃｋ揮発度とを有するフィッシャー・トロプシュ誘導基油を指す。
【００２７】
本明細書で使用されるＧＴＬ４基油は、１００℃で、約３．５から５ｃＳｔの間、あるいは４から４．２ｃＳｔの間の動粘度と、少なくとも約９９重量％の飽和物含量と、約０．７重量％以下の飽和物含量と、約１３．５重量％のＮｏａｃｋ揮発度とを有するフィッシャー・トロプシュ誘導基油を指す。
【００２８】
フィッシャー・トロプシュ誘導基油に加え、添加剤濃縮物は、米国石油協会（ＡＰＩ）の定義に従うグループＩ−Ｖ基油を含んだ鉱物誘導基油およびいわゆる合成基油（ＰＡＯなど）など、１種以上の非フィッシャー・トロプシュ誘導基油を含んでいてもよい。これらのＡＰＩカテゴリーは、ＡＰＩ  Ｐｕｂｌｉｃａｔｉｏｎ  １５０９、第１５版、補遺Ｅ、２００９年７月で定義される。
【００２９】
ある種の実施形態では、本発明の潤滑剤組成物は、２種のフィッシャー・トロプシュ誘導基油のブレンドを含み、このブレンドは：１００℃で２．５から３．５ｃＳｔの間の動粘度を有する第１のフィッシャー・トロプシュ誘導基油と、１００℃で３．５から４．５ｃＳｔの間の動粘度を有する第２のフィッシャー・トロプシュ誘導基油とを含む。ある種の実施形態では、２種のフィッシャー・トロプシュ誘導基油のブレンドは、第１のフィッシャー・トロプシュ誘導基油を最大１２重量％、および第２のフィッシャー・トロプシュ誘導基油を少なくとも８８重量％含むことになり、あるいは第１のフィッシャー・トロプシュ誘導基油を０．５から３重量％の間、および第２のフィッシャー・トロプシュ誘導基油を９７から９９．５重量％の間含むことになり、あるいは第１のフィッシャー・トロプシュ誘導基油を３から６重量％の間、および第２のフィッシャー・トロプシュ誘導基油を９４から９７重量％の間含むことになり、あるいは第１のフィッシャー・トロプシュ誘導基油を６から９重量％の間、および第２のフィッシャー・トロプシュ誘導基油を９１から９４重量％の間含むことになり、あるいは第１のフィッシャー・トロプシュ誘導基油を９から１２重量％の間、および第２のフィッシャー・トロプシュ誘導基油を８８から９１重量％の間含むことになる。ある種の実施形態では、２種のフィッシャー・トロプシュ誘導基油のブレンドは、第１のフィッシャー・トロプシュ誘導基油を１から１２重量％の間、および第２のフィッシャー・トロプシュ誘導基油を８８から９９重量％の間含むことになり、あるいは、第１のフィッシャー・トロプシュ誘導基油を０．５から４重量％の間、および第２のフィッシャー・トロプシュ誘導基油を９６から９９．５重量％の間含むことになり、あるいは、第１のフィッシャー・トロプシュ誘導基油を４から８重量％の間、および第２のフィッシャー・トロプシュ誘導基油を９２から９６重量％の間含むことになり、あるいは、第１のフィッシャー・トロプシュ誘導基油を８から１２重量％の間、および第２のフィッシャー・トロプシュ誘導基油を８８から９２重量％の間含むことになる。
【００３０】
得られる潤滑剤組成物は、１５重量％未満、あるいは１４重量％未満、あるいは１３重量％未満、あるいは１２重量％未満のＮＯＡＣＫ揮発度（ＡＳＴＭ  Ｄ−５８００により試験をする。）を有することになる。
【００３１】
得られる潤滑剤組成物は、１００℃で、３から１０ｃＳｔの間、あるいは３から５ｃＳｔの間、あるいは４から６ｃＳｔの間、あるいは５から８ｃＳｔの間、あるいは６から９ｃＳｔの間の動粘度（ＡＳＴＭ  Ｄ４４５により試験をする。）を有することになる。あるその他の実施形態では、１００℃での動粘度が８ｃＳｔを超えず、あるいは５ｃＳｔを超えない。
【００３２】
得られる潤滑剤組成物は、−３０℃で、９００ｃＰから６６００ｃＰの間、あるいは９００ｃＰから３０００ｃＰの間、あるいは９００ｃＰから２０００ｃＰの間の低温クランキング粘度（ＡＳＴＭ  Ｄ５８９３により試験をする。）を有することになる。ある種の実施形態では、−３０℃での低温クランキング粘度は６６００ｃＰ未満になり、あるいは２０００ｃＰ未満になり、あるいは１４００ｃＰ未満になり、あるいは１２００ｃＰ未満になる。ある種の実施形態では、−３０℃での低温クランキング粘度が２０００ｃＰ以下であり、あるいは１５００ｃＰ以下である。
【００３３】
得られる潤滑剤組成物は、−３５℃で、約１４００ｃＰから６２００ｃＰの間、あるいは１４００ｃＰから２５００ｃＰの間、あるいは１５００ｃＰから２０００ｃＰの間の低温クランキング粘度（ＡＳＴＭ  Ｄ５８９３により試験をする。）を有することになる。ある種の実施形態では、−３５℃での低温クランキング粘度が２５００ｃＰ以下になり、あるいは２０００ｃＰ以下になる。ある種の実施形態では、−３５℃での低温クランキング粘度が６２００ｃＰ未満になり、あるいは２５００ｃＰ未満になり、あるいは２０００ｃＰ未満になる。
【００３４】
得られる潤滑剤組成物は、１５０℃で、１．４から３．０ｃＰの間、あるいは１．７から２．２ｃＰの間、あるいは１．７から１．９ｃＰの間の高温高剪断（ＨＴＨＳ）粘度を有することになる。ある種の実施形態では、１５０℃でのＨＴＨＳ粘度が２．２ｃＰ以下であり、あるいは１．９ｃＰ以下である。
【００３５】
典型的には、本発明により使用される基油（または基油のブレンド）は、１００℃で２．５から８ｃＳｔの間、あるいは約３から５ｃＳｔの間の動粘度｛ＡＳＴＭ  Ｄ４４５による。｝を有する。本発明の好ましい実施形態によれば、基油は、１００℃で３．５から４．５ｃＳｔの間の動粘度｛ＡＳＴＭ  Ｄ４４５による。｝を有する。基油が２種以上の基油のブレンドを含有する場合、ブレンドは、１００℃で３．５から４．５ｃＳｔの間の動粘度を有することが好ましい。
【００３６】
好ましくは、本発明による潤滑剤組成物の−３５℃での粘度（ＡＳＴＭ  Ｄ５２９３による。）は、６２００ｃＰ未満（１ｃＰは１ｍＰａｓに等しい。）であり、好ましくは５５００ｃＰよりも少なく、より好ましくは５０００ｃＰ未満であり、さらにより好ましくは４５００ｃＰ未満であり、またはある種の実施形態では、４０００ｃＰ未満または３５００ｃＰ未満である。典型的には、−３５℃での粘度は２０００ｃＰよりも大きい。ある種の実施形態では、粘度は約２０００から４０００ｃＰの間であり、あるいは約４０００から６０００ｃＰの間であり、あるいは約５０００から６２００ｃＰの間である。
【００３７】
好ましくは、本発明による組成物の高温高剪断粘度（「ＨＴＨＳ」；ＡＳＴＭ  Ｄ４６８３による。）は２．６ｃＰ未満であり、好ましくは２．０ｃＰ未満であり、より好ましくは１．９ｃＰ未満である。典型的には、ＨＴＨＳは１．５ｃＰよりも大きい。ある種の実施形態では、ＨＴＨＳは１．５から２．６ｃＰの間であり、あるいは約１．５から２ｃＰの間であり、あるいは約１．５から１．９ｃＰの間である。
【００３８】
本発明による潤滑剤組成物は、１５重量％未満のＮｏａｃｋ揮発度（ＡＳＴＭ  Ｄ５８００による。）を有する。典型的には、潤滑剤組成物のＮｏａｃｋ揮発度（ＡＳＴＭ  Ｄ５８００による。）は、１から１５重量％の間であり、あるいは１０から１４重量％の間であり、あるいは１１から１３．５重量％の間である。ある種の実施形態では、Ｎｏａｃｋ揮発度は１４．６重量％未満であり、あるいは１４重量％未満であり、あるいは１３．５重量％未満であり、あるいは１３重量％未満である。ある種の実施形態では、潤滑剤組成物のＮｏａｃｋ揮発度は、１２．５重量％未満であり、あるいは１２重量％未満であり、あるいは１１．５重量％未満であり、あるいは１１重量％未満であり、あるいは１０重量％未満である。
【００３９】
本発明による潤滑組成物は、酸化防止剤、耐摩耗添加剤、分散剤、洗浄剤、過塩基化洗浄剤、極圧添加剤、摩擦調整剤、粘度指数向上剤、流動点降下剤、金属不動態化剤、腐食防止剤、解乳化剤、消泡剤、封止適合剤、および添加剤希釈基油など、１種以上の添加剤をさらに含むことができる。当業者は上記およびその他の添加剤に馴染みがあるので、これらについては本明細書でさらに詳細には論じない。そのような添加剤の特定の例は、例えば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第１４巻、４７７−５２６頁に記載されている。都合良く使用することができる酸化防止剤は、フェニル−ナフチルアミン（Ｃｉｂａ  Ｓｐｅｃｉａｌｔｙ  Ｃｈｅｍｉｃａｌｓから入手可能な「ＩＲＧＡＮＯＸ  Ｌ−Ｏ６」など）およびジフェニルアミン（Ｃｉｂａ  Ｓｐｅｃｉａｌｔｙ  Ｃｈｅｍｉｃａｌｓから入手可能な「ＩＲＧＡＮＯＸ  Ｌ−５７」など）であって例えばＷＯ  ２００７／０４５６２９およびＥＰ  １０５８７２０に開示されているもの、フェノール系酸化防止剤などを含む。ＷＯ  ２００７／０４５６２９およびＥＰ  １０５８７２０の教示は、参照により本明細書に組み込まれる。
【００４０】
添加することができる耐摩耗添加剤は、ジアルキル−、ジアリール−、および／またはアルキルアリール−ジチオリン酸亜鉛から選択されたジチオリン酸亜鉛化合物などの亜鉛含有化合物、モリブデン含有化合物、ホウ素含有化合物と、置換および非置換チオリン酸およびそれらの塩などの無灰耐摩耗添加剤を含む。モリブデン含有化合物の例は、モリブデンジチオカルバメート、三核モリブデン化合物（ＷＯ  １９９８／２６０３０に記載されている。）、硫化モリブデン、およびジチオリン酸モリブデンを含むことができる。使用することができるホウ素含有化合物は、ホウ酸エステル、ホウ酸化脂肪アミン、ホウ酸化エポキシド、アルカリ金属（または混合アルカリ金属もしくはアルカリ土類金属）ボレート、およびホウ酸化過塩基化金属塩を含む。使用される分散剤は、好ましくは無灰分散剤である。適切な無灰分散剤は、ポリブチレンスクシンイミドポリアミン、およびＭａｎｎｉｃｈ塩基型分散剤を含むことができる。
【００４１】
本発明の潤滑組成物中に使用することができる粘度指数向上剤の例は、スチレン−ブタジエン星形コポリマー、スチレン−イソプレン星形コポリマー、およびポリメタクリレートコポリマー、およびエチレン−プロピレンコポリマー（オレフィンコポリマーとしても公知である。）であって結晶質および非結晶質タイプのものを含む。分散剤−粘度指数向上剤も、本発明の潤滑組成物に使用することができる。好ましくは本発明による組成物は、組成物の全重量に対して粘度指数向上剤濃縮物（即ち、ＶＩ向上剤に「キャリアオイル」または「希釈剤」を加えたもの。）を１．０重量％未満含み、好ましくは０．５重量％未満含む。最も好ましくは、組成物は、粘度指数向上剤濃縮物を含まない。
【００４２】
ある種の実施形態では、本発明による組成物は、流動点降下剤を少なくとも０．１重量％含む。例えばアルキル化ナフタレンおよびフェノール系ポリマー、ポリメタクリレート、およびマレエート／フマレートコポリマーエステルを、流動点降下剤として使用することができる。好ましくは、０．３重量％以下の流動点降下剤が使用される。ある種の実施形態では、アルケニルコハク酸またはそのエステル部分などの化合物、ベンゾトリアゾールをベースにした化合物、およびチオジアゾールをベースにした化合物を、本発明の潤滑組成物中で腐食防止剤として使用することができる。
【００４３】
ポリシロキサン、ジメチルポリシクロヘキサン、およびポリアクリレートなどの化合物を、消泡剤として本発明の潤滑組成物中に使用することができる。
【００４４】
ある種の実施形態では、Ｉｎｆｉｎｅｕｍ  Ａｄｄｉｔｉｖｅｓ（Ａｂｉｎｇｄｏｎ、英国）から「Ｉｎｆｉｎｅｕｍ  ３５１」という商標で市販されている従来のポリメタクリレート流動点降下剤などの、流動点降下剤を添加することができる。
【００４５】
シールフィックスまたは封止適合剤として本発明の潤滑組成物中で使用することができる化合物は、例えば市販の芳香族エステルを含む。本発明の潤滑組成物は、１種以上の添加剤と（１種以上の）基油とを混ぜることによって調製することができる。
【００４６】
一般に、本発明の組成物中に存在する添加剤は、潤滑組成物の全重量に対して０．０１から３５．０重量％の範囲の量で存在し、好ましくは０．０５から２５．０重量％の範囲の量で、より好ましくは１．０から２０．０重量％の範囲の量で存在する。好ましくは組成物は、耐摩耗添加剤、金属洗浄剤、無灰分散剤、および酸化防止剤を含む添加剤パッケージを少なくとも９．０重量％、好ましくは少なくとも１０．０重量％、より好ましくは少なくとも１１．０重量％含有する。あるいは本発明の組成物は、添加剤を１０から３５重量％の間、あるいは１０から２５重量％の間、あるいは１０から２０重量％の間で含む。ある種の実施形態では、本発明による潤滑組成物は、いわゆる「低ＳＡＰＳ」（ＳＡＰＳ＝硫酸灰分、リン、および硫黄）、「中ＳＡＰＳ」、または「レギュラーＳＡＰＳ」配合物であってもよい。
【００４７】
一実施形態では、本発明の潤滑剤組成物は基油ブレンドを含み、この基油ブレンドは、１００℃で２．５から３．５ｃＳｔの間の動粘度を有する第１のフィッシャー・トロプシュ誘導基油および１００℃で３．５から４．５ｃＳｔの間の動粘度を有する第２のフィッシャー・トロプシュ誘導基油を含み、この基油ブレンドは、１５重量％よりも低いＮｏａｃｋ揮発度を有する。場合によって、本発明による潤滑剤組成物は、添加剤パッケージを含むことができる。場合による添加剤パッケージは、酸化防止剤、亜鉛をベースにした耐摩耗添加剤、無灰分散剤、過塩基化洗浄剤混合物、および消泡剤などの添加剤の組合せを含むことができる。
【実施例】
【００４８】
３種の基油の性質を、表１に提示する。
【００４９】
基油１は、１００℃で約４．３ｃＳｔの動粘度（ＡＳＴＭ  Ｄ４４５）を有する、市販のグループＩＩＩ鉱質系基油である。基油１は、例えばＳＫ  Ｅｎｅｒｇｙ（Ｕｌｓａｎ、韓国）からＹｕｂａｓｅ  ４という商標で市販されている。
【００５０】
基油２は、１００℃で約３．８９ｃＳｔの動粘度（ＡＳＴＭ  Ｄ４４５）を有する、フィッシャー・トロプシュ誘導基油であった。基油２は、例えばその教示が参照により本明細書に組み込まれるＷＯ２００２／０７０６３１に記載される方法によって、都合良く製造することができる。
【００５１】
基油３は、１００℃で約２．７０ｃＳｔの動粘度（ＡＳＴＭ  Ｄ４４５）を有する、フィッシャー・トロプシュ誘導基油である。基油３は、例えばその教示が参照により本明細書に組み込まれるＷＯ２００２／０７０６３１に記載される方法によって、都合良く製造することができる。
【００５２】
【表１】
2015021129.tif 000002
【００５３】
表２は、基油および添加剤パッケージを含んだいくつかの組成物に関する性質を提示する。表に示されるように、ＧＴＬ４は、鉱質系Ｙｕｂａｓｅ  ４に比べて改善された粘度および揮発度を示す。
【００５４】
【表２】
2015021129.tif 000003
【００５５】
本明細書で使用される「含む（ｉｎｃｌｕｄｅ）」および「含む（ｃｏｍｐｒｉｓｅ）」という単語とそれらの変形例は、同義に使用されてもよい。
【００５６】
単数形「ａ」、「ａｎ」、および「ｔｈｅ」は、文脈が他に明示しない限り、複数形を含む。場合による、または場合によっては、引き続き記述される事象または状況が生じても生じなくてもよいことを意味する。この記述は、事象または状況が生じる場合、およびそれが生じない場合を含む。
【００５７】
範囲は、本明細書では、ほぼ１つの特定値から、および／またはその他の特定の値までと説明することができる。そのような範囲を表す場合、別の実施形態は、１つの特定の値から、および／またはその他の特定の値までであって、前記範囲内の全ての組合せも共に含まれることが理解される。
【００５８】
本出願の全体を通して、特許または文献を参照する場合、これら参考文献の全体の開示は、これら参考文献が本明細書でなされる主張と矛盾する場合を除き、本発明が関係する分野の現況技術をより完全に記述するために参照により本出願に組み込まれるものとする。
【００５９】
本発明について詳細に記述してきたが、本発明の原理および範囲から逸脱することなく、本明細書に様々な変更、置換、および代替を行うことができることを理解すべきである。したがって本発明の範囲は、下記の特許請求の範囲およびそれらの適切な法的均等物によって決定されるべきである。
【外国語明細書】
2015021129000001.pdf